(57)【要約】【課題】板紙材料から簡易に組み立てできる組立式スタンドとその製作方法を提供する。【解決手段】本組立式スタンド１０は、天部と地部が開口し、断面が矩形枠状である縦長の紙製柱状直方体から形成された展示用スタンドであって、天部からの一定長さ部と地部からの一定長さ部を除く中間域の胴部１２全体において、柱状直方体の４本の稜線１ａ，１ｂ，１ｃ，１ｄを略中心とする両側の一定幅領域が前記柱状直方体の内側に折り返しされていることにより、折り返し片の４つの天部側端縁が同一高さに位置して、展示品の荷重受け部として機能することを特徴とする。脚部１３には、補強材をはめ込みできる。【選択図】  図１
2019005386.tif 000002
【特許請求の範囲】
【請求項１】
天部と地部が開口し、断面が矩形枠状である縦長の紙製柱状直方体から形成された展示用スタンドであって、天部からの一定長さ部と地部からの一定長さ部を除く中間域の胴部全体において、柱状直方体の４本の稜線を略中心とする両側の一定幅領域が前記柱状直方体の内側に折り返しされていることにより、折り返し片の４つの天部側端縁が同一高さに位置して、展示品の荷重受け部として機能することを特徴とする組立式スタンド。
【請求項２】
稜線を略中心とする折り返し片の片側の折り返し幅が、折り返される辺の幅の、１／３以下の幅であることを特徴とする請求項１記載の組立式スタンド。
【請求項３】
折り返し片が折り返し前の柱状直方体の稜線を挟む双方の面に対して、９０度の角度で折り返されていることにより、胴部の断面が十字型状の１２角形枠状となることを特徴とする請求項１または請求項２記載の組立式スタンド。
【請求項４】
折り返し片の地部側端縁下に形成される直方体状空間内に補強材がはめ込まれていることを特徴とする請求項１ないし請求項３のいずれか１の請求項記載の組立式スタンド。
【請求項５】
以下の（１）〜（４）の工程を有する組立式スタンドの製作方法
（１）天地の双方が開口し、断面が矩形枠状である柱状直方体を形成するための台紙であって、第１面乃至第４面となる矩形状が連接した面と、第１面に隣接して狭い幅の糊代部を有し、柱状直方体の稜線となる４本の折り線と当該各稜線と平行に一定幅を隔てて引かれた折り返し片を形成するための折り線と、折り返し片の上下端部となる切込み線を稜線となる折り線に直交して有する板紙台紙を準備する工程、
（２）糊代部を第４面の裏面端縁に重ねて接着し、断面が矩形枠状である縦長の柱状直方体を形成する工程、
（３）上下端部となる切込み線と稜線となる折り込み線と平行に一定幅を隔てて引かれた折り線で囲まれた４つの領域を、稜線における外角が９０度になるように柱状直方体の内側に押し込んで、４個の折り返し片を形成する工程、
（４）折り返し片の４つの地部側端縁の下部に形成される直方体状空間内に補強材をはめ込みする工程、
【発明の詳細な説明】
【技術分野】
【０００１】
本発明は、組立式スタンドとその製作方法に関する。詳しくは、店舗のカウンター等の近くに、販売品を少量載置する目的で、あるいは店舗や街頭、駅構内等でフリーペーパ等を載せる目的で設置する組立式スタンドおよびその製作方法に関するものである。
【背景技術】
【０００２】
近年、目新しい商品をカウンター近くに展示し、販売促進を図ることが行われている。あるいは、無償で提供するフリーペーパやカタログ等の冊子が店舗や街頭、駅構内などで配布されている。これらの商品やフリーペーパ等は、必要量を積載するとかなりの重量があるので、ある程度の耐久性あるスタンド（展示台）が必要になる。
店内や街頭、駅構内で通行の妨げになるような大型スタンドは迷惑である。また、すぐに破損するようなスタンドも困るし、組立に手間取るようなスタンドも扱い難い。
そこで、ある程度の重量を支えられるとともに耐久性もあり、小型で簡易に設置できる組立式スタンドが求められる。本発明はそのような要請に応えようとするものである。
【０００３】
（従来技術）特許文献１には、展示台が記載されている。その脚部である筒状体１部分は、矩形状の筒状体の稜部を内側に折り込みしていることから、本願にやや共通する構造を有している。ただし、特別な天面部を有することや、接地部分の構造は本願と相違している。
特許文献２には、本願と用途を共通にする組立式展示台が記載されているが、脚部の強化構造は本願と相違している。特許文献３は、角受け方式の展示台が記載されていて、角部で荷を受ける形態は、本願と共通するところがあるが、脚部について、本願のように強化構造にすることについては記載されていない。
【先行技術文献】
【特許文献】
【０００４】
【特許文献１】特開２０１５−  ９７５５９号公報
【特許文献２】特開２０１１−      ３６４号公報
【特許文献３】実開平０４−  ７４０６２号公報
【発明の概要】
【発明が解決しようとする課題】
【０００５】
そこで、本発明は過大なスペースを必要としないで設置でき、簡易に組み立てでき、製作コストの低減も図れ、かつある程度の耐久性を有する組立式スタンドとその製作方法の提供を課題とするものである。
【課題を解決するための手段】
【０００６】
上記課題を解決するために、本発明の要旨の１に係る組立式スタンドは、天部と地部が開口し、断面が矩形枠状である縦長の紙製柱状直方体から形成された展示用スタンドであって、天部からの一定長さ部と地部からの一定長さ部を除く中間域の胴部全体において、柱状直方体の４本の稜線を略中心とする両側の一定幅領域が前記柱状直方体の内側に折り返しされていることにより、折り返し片の４つの天部側端縁が同一高さに位置して、展示品の荷重受け部として機能することを特徴とする。
【０００７】
上記組立式スタンドにおいて、稜線を略中心とする折り返し片の方側の折り返し幅が、折り返される辺の幅の、１／３以下の幅である、ようにすることができ、折り返し片が折り返し前の柱状直方体の稜線を挟む双方の面に対して、９０度の角度で折り返されていることにより、胴部の断面が十字形状の１２角形枠状となる、ようにすることもできる。
また、折り返し片の地部側端縁下に形成される直方体状空間内に補強材がはめ込まれている、ようにすることもできる。
【０００８】
上記課題を解決するために、本発明の要旨の２に係る組立式スタンドの製作方法は、以下の（１）〜（４）の工程を有することを特徴とする。
（１）天地の双方が開口し、断面が矩形枠状である柱状直方体を形成するための台紙であって、第１面乃至第４面となる矩形状が連接した面と、第１面に隣接して狭い幅の糊代部を有し、柱状直方体の稜線となる４本の折り線と当該各稜線と平行に一定幅を隔てて引かれた折り返し片を形成するための折り線と、折り返し片の上下端部となる切込み線を稜線となる折り線に直交して有する板紙台紙を準備する工程、（２）糊代部を第４面の裏面端縁に重ねて接着し、断面が矩形枠状である縦長の柱状直方体を形成する工程、（３）上下端部となる切込み線と稜線となる折り込み線と平行に一定幅を隔てて引かれた折り線で囲まれた４つの領域を、稜線における外角が９０度になるように柱状直方体の内側に押し込んで、４個の折り返し片を形成する工程、（４）折り返し片の４つの地部側端縁の下部に形成される直方体状空間内に補強材をはめ込みする工程、
【発明の効果】
【０００９】
請求項１の組立式スタンドによれば、簡易な構造ではあるが、長期間の使用に耐える強度を備え、かつ設置スペースが小さく、現地においても直ちに組み立てできるスタンドとして使用できる。
請求項２の発明によれば、折り曲げ強度の高い組立式スタンドとなる。
請求項３の発明によれば、圧縮や耐折り曲げ強度の高い組立式スタンドとなり、耐久性を高められる。また、美感的にも優れる。
請求項４の発明によれば、組立式スタンドの脚部を強化でき、耐久性を高められる。
請求項５の組立式スタンドの製作方法によれば、組立式スタンドを手順良く、強度を有する形態に製作できる。
【図面の簡単な説明】
【００１０】
【図１】本発明の組立式スタンドを示す斜視図である。
【図２】組立式スタンドの荷受け部を示す平面図である。
【図３】組立式スタンドの胴部の断面図である。
【図４】組立式スタンドの脚部を示す底面図である。
【図５】組立式スタンドの使用状況を示す斜視図である。
【図６】組立式スタンドの台紙と脚部補強材の台紙を示す図である。
【図７】組立式スタンドの組立工程を示す図である。
【図８】折り返し片の大きさを検討する図である。
【発明を実施するための形態】
【００１１】
以下、本発明の実施形態について、図面を参照して詳細に説明する。
図１は、本発明の組立式スタンドを示す斜視図である。
本発明の組立式スタンド１０は、天部と地部が開口し、断面が矩形枠状である紙製の柱状直方体から形成される展示用スタンドである。断面が矩形状ではなく、矩形枠状であるから中空の柱状直方体であることは明らかである。
この中空の柱状直方体の天部からの、一定長さ部Ｔ３と地部からの一定長さ部Ｔ４を除く中間域の胴部（長さＴ２部）１２の全体において、柱状直方体の４本の稜線１ａ，１ｂ，１ｃ，１ｄを略中心とする両側の一定幅領域が、柱状直方体の内側に折り返しされている特徴がある。この折り返し片は胴部１２の全長さ域にわたってあるから、折り返し片の４つの天部側端縁は同一高さに位置するようになる。略中心とは真に中心とは限らない意味である。
【００１２】
図１では、稜線１ａの折り返し片１２１のみが図示されているが、他の稜線にも同様に折り返し片が形成されている。折り返し片が形成されないで残る天側の部分は、荷受け部１１となり、地側の部分は、脚部１３となる。
なお、組立式スタンド１０の全体高さＴ１は、展示目的と展示品の取り易さから、６００〜１０００ｍｍ程度が好ましくなる。矩形枠の大きさは、展示品を載せる大きさが必要であり、全体高さとの関係から、安定的に自立を保持できる面積も必要になる。
【００１３】
図２は、組立式スタンドの荷受け部を示す平面図である。天側から見た図である。
図２のように、荷受け部１１の内部には、折り返し片１２１，１２２，１２３，１２４の４つの天部側端縁が見えている。この４つの端縁は、同一高さに位置するので展示品の荷重受け部として機能し得る特徴がある。４つの端縁に直接に荷物を積載しないで、４つの端縁上に箱体や板材等を敷きその上に荷を載せるのが好ましい。端縁を破損させないためと展示品の落下防止である。
矩形枠の横幅Ｈ１と縦幅Ｈ２は任意に設定できるが、極端に扁平な形状では、柱状直方体の強度が低下する。荷受け部１１には、Ａ４やＢ５サイズの冊子等が載せられることが多いので、箱詰めした冊子等が載る大きさを考慮する必要がある。
【００１４】
図３は、組立式スタンドの胴部の断面図である。
胴部１２では、４本の稜線１ａ，１ｂ，１ｃ，１ｄと稜線を略中心とする両側の一定幅領域（幅Ｈ３，Ｈ４の域）が前記柱状直方体の内側に折り返しされている。折り返しは折り返し前の柱状直方体の稜線を挟む（稜線を間に有する）双方の面に対して、９０度の角度になるように折り返すことが好ましい。これにより、胴部１２の断面は、９０度の凹角と９０度の凸角組み合わせからなる十字形状の１２角形枠状となる特徴がある。なお、９０度の凹角とするためには、Ｈ３とＨ４が同一幅である必要がある。
ここに、９０度の凹角とは、内角２７０度の意味であり、９０度の凸角とは内角９０度の意味である。胴部１２の長さＴ２は、歩行する人が手を伸ばし易いことから、４００〜６００ｍｍ程度となる。
【００１５】
図４は、組立式スタンドの脚部を示す底面図である。
脚部１３には、補強材１３１として、地側が開いた箱蓋状体を板紙材１０１の内側に、密接させて組み込みする。箱蓋状体の上側である天板は、折り返し片１２１，１２２，１２３，１２４の下端に接するようにするのが良い。箱蓋状体は完全な箱蓋でなくて良く、天板と４辺の辺板を有するものであれば良い。辺板間が接着していなくても良い。
補強材を組み込みするのは、脚部を強化する目的であり、耐水性段ボール等の材質が好ましく使用できる。脚部の高さＴ３は、５０〜１２０ｍｍ程度で良い。
【００１６】
ここで、折り返し片の大きさについて、図８を参照して検討する。
図８は、長辺がＸ、短辺がＹである矩形状枠を示している。長辺Ｘに、片側長さｘの折り返し片を作った場合、残る辺の長さは、Ｘ−２ｘとなる。実験的に、Ｘ−２ｘ＞ｘであることが強度的に好ましいことが確認されている。従って、ｘ＜（Ｘ／３）となる。
同様に、ｙ＜（Ｙ／３）となる。ｘとｙは異なる数値でも良いが、前記のように異なる数値の場合は、稜線部の外角を９０度にすることはできない。
ただし、ｘ、ｙが小さ過ぎると、荷重受け部として実用的強度が得られないので、一般的には、２０ｍｍ程度以上が必要となる。
【００１７】
図５は、組立式スタンドの使用状況を示す斜視図である。
組立式スタンド１０を使用する場合は、荷受け部１１に冊子１５等を載せて、店内や街頭、駅構内等に設置する。冊子１５は冊子用箱１６に箱詰めして載せるのが、冊子１５の落下や散逸を防止して好ましい。従って、荷受け部１１の大きさ（間口、奥行）は、冊子用箱１６の大きさを考慮して決定する必要がある。
【００１８】
（材質に関する実施形態）
板紙材料には、通常の板紙の他、ポリエチレンやポリプロピレンとの片面または両面ラミネート紙を使用することができ、樹脂含浸紙であっても良い。両面段ボールや片面段ボールであっても良い。板紙と言っているが、プラスチック板材であっても良いものである。
また、板紙材料に対して、彩色や模様を施すことも構わない。
脚部１３の補強材には、片段ボールや両段ボールを使用できる。耐水性であればより好ましい。
【００１９】
次に、組立式スタンドの製作方法について、図６、図７を参照して説明する。
図６は、組立式スタンドの台紙と脚部補強材１３１の台紙を示す図、図７は、組立式スタンドの組立工程を示す図である。
まず、天地の双方が開口し、断面が矩形枠状である柱状直方体を形成するための台紙であって、第１面、第２面、第３面、第４面となる矩形状の面と、第１面に隣接して狭い幅の糊代部を有し、柱状直方体の稜線１ａ，１ｂ，１ｃ，１ｄとなる４本の折り線と当該各稜線と平行に一定幅Ｌ５，Ｌ６を隔てて引かれた折り返し片を形成するための折り線と、折り返し片の上下端部となる切込み線ｋ１〜ｋ１０を稜線となる折り線に直交して有する板紙台紙を準備する工程、を行う。
具体的には、図６（Ａ）図示の板紙台紙を作製することである。
スタンドの台紙とは別に、脚部１３にはめ込む補強材１３１として、箱蓋状体の台紙を、図６（Ｂ）のように作製する。前記のように、この補強材１３１は、天板と４辺の辺板を有すれば良く、辺板間を接着する必要はない。この材料は段ボール等であって良い。
【００２０】
次に、柱状直方体を形成するための台紙の糊代部と第２面の裏面端縁に重ねて全長にわたり接着して、図７（Ａ）図示の断面が矩形枠状の柱状直方体を形成する。接着には両面テープ等を使用できる。
次いで、上下折り返し片の端縁となる切込み線ｋ１〜ｋ１０と稜線１ａ，１ｂ，１ｃ，１ｄとなる折り込み線と平行に一定幅を隔てて引かれた折り線とで囲まれた４つの領域を、稜線における外角が９０度になるように柱状直方体の内側に押し込みして、４個の折り返し片１２１，１２２，１２３，１２４を形成する工程を行う。これにより、図７（Ｂ）図示の柱状体が得られる。なお、稜線における外角を９０度にするためには、Ｌ５＝Ｌ６とすることが必要になる
最後に、折り返し片の４つの地部側端縁の下部に形成される直方体状空間内に補強材１３１を組み込みする。補強材１３１は、地側が開いた箱蓋状のものとすることができる。
この補強材１３１を折り返し片１２１，１２２，１２３，１２４の地部側端縁に接するように押し込んではめ込みする。補強材１３１と板紙材１０１間は接着するのが好ましいが、
接着しなくても良い。これにより組立式スタンド１０が完成する。
【実施例】
【００２１】
以下に、実施例および比較例を記載するが、実用品としての実施品の各部の寸法や材質は、当該実施例に限定されず、特許請求の範囲を逸脱しない範囲で変更できるものである。
（実施例１）
組立式スタンド本体の材質として、４６判／４０ｋｇの板紙を使用し、図６（Ａ）図示の台紙を作製した。なお、各部の寸法は、以下のようにした。
全幅Ｌ１を９３３ｍｍ、全高さＴ１を７００ｍｍ、胴部高さＴ２を５００ｍｍ、荷受け部の高さＴ３を１００ｍｍ、脚部の高さＴ４を１００ｍｍ、矩形枠の長辺の幅Ｌ２を２６２ｍｍ、矩形枠の短辺の幅Ｌ３を１９０ｍｍとした。
折り返し片は稜線からの幅Ｌ５，Ｌ６を等しく５０ｍｍとしたので、合計幅（Ｌ５+Ｌ６）は１００ｍｍとなった。
【００２２】
別に、補強材１３１として、図６（Ｂ）の台紙からなる箱蓋状体を、厚み３ｍｍの両面段ボールを使用して作製した。板面は、長辺Ｌ７を２６０ｍｍ、短辺Ｌ８を１８８ｍｍ、としたので、本体の矩形枠より短い辺長さである。脚部１３の内側にはめ込みすることを考慮するものである。また、高さＴ６を９８ｍｍとした。 箱蓋状体とするのは、辺板間を接着しないで使用するからである。
【００２３】
台紙の糊代部と第２面の裏面端縁に重ねて全長にわたり接着して、図７（Ａ）図示の断面が矩形枠状の柱状直方体を形成した。
次に、上下端部となる切込み線ｋ１〜ｋ１０と稜線１ａ，１ｂ，１ｃ，１ｄとなる折り込み線と平行に５０ｍｍを隔てて引かれた折り線で囲まれた４つの領域を、稜線における外角が９０度になるように柱状直方体の内側にはめ込んで、４個の折り返し片１２１，１２２，１２３，１２４を形成した。
最後に、折り返し片の４つの地部側端縁の下部の直方体状空間内に補強材１０１を、辺間を接着しないではめ込みした。これにより、組立式スタンド１０が完成した。
【００２４】
（実施例２）
板紙材料として、４６判／３６ｋｇを使用した以外は、実施例と同一寸法である組立式スタンドを作製した。なお、脚部の補強材１０１は実施例１と同一材料、かつ、同一寸法で作製し使用した。
【００２５】
（比較例１）
実施例と同一の材料と寸法であるが折り返し片１２１，１２２，１２３，１２４を設けないで、単に断面が矩形枠状の組立式スタンドを作製した。
なお、脚部の補強材１０１は実施例１と同一材料、かつ同一寸法で作製し使用した。
【００２６】
実施例１、実施例２、比較例１で完成した組立式スタンドについて、重量１０.５ｋｇの荷重（プリント用紙）を載せて耐久試験を行った。実施例１と実施例２は、荷受け部１１に荷重を載せたが、比較例１は、荷受け部がないので、頂部に板材を載せその上に荷重を載せて試験した。
【００２７】
実施例１と実施例２は、１２０時間経過後にも、変化は無かったが、比較例１は脚部１３が変形していることが確認できた。比較例１では、補強材１３１に折り返し片の下端が接触することもなく、全荷重を脚部の板紙が受けることに起因すると考えられる。
展示品の通常の重さ（質量）は、３〜４ｋｇ程度なので、実施例１または実施例２の組立式スタンドであれば、十分な耐久性があることが確認できた。
【符号の説明】
【００２８】
１０    組立式スタンド
１１    荷受け部
１２    胴部
１３    脚部
１５    冊子
１６    冊子用箱
１０１  板紙材
１２１，１２２，１２３，１２４    折り返し片
１３１  補強材
１ａ，１ｂ，１ｃ，１ｄ    稜線
【図１】
2019005386.tif 000003
【図２】
2019005386.tif 000004
【図３】
2019005386.tif 000005
【図４】
2019005386.tif 000006
【図５】
2019005386.tif 000007
【図６】
2019005386.tif 000008
【図７】
2019005386.tif 000009
【図８】
2019005386.tif 000010